(57)【特許請求の範囲】
【請求項１】
上面部に取出口を有し、一枚を引き出すと次の一枚の一部が引き出されるように複数枚の衛生薄葉紙が折り畳み重ねられてなる束を収めて、前記取出口から一枚ずつ取り出せるようにした衛生薄葉紙ディスペンサーであって、
前記上面部に対面し底面側に付勢された上側舌片と
この上側舌片に形成された通紙部と、
前記上側舌片に対面し上面部側に付勢された底側舌片と、
前記上側舌片と底側舌片との間に束を差し込み可能に開口する挿入口とを有し、
前記挿入口から挿入された束が衛生薄葉紙ディスペンサー内部で前記上側舌片と底側舌片とによって挟持され、かつ、挟持された束から前記通紙部を介して取出口から衛生薄葉紙を取り出させる、ことを特徴とする衛生薄葉紙ディスペンサー。
【請求項２】
上側舌片が折曲げ成形可能な可撓性シートにより形成されている、請求項１記載の衛生薄葉紙ディスペンサー。
【請求項３】
上側舌片が上面部の縁から延出する縁片が衛生薄葉紙ディスペンサー内部側に折り返されて形成されている、請求項１又は２記載の衛生薄葉紙ディスペンサー。
【請求項４】
上面部に取出口を有し、一枚を引き出すと次の一枚の一部が引き出されるように複数枚の衛生薄葉紙が折り畳み重ねられてなる束を収めて、前記取出口から一枚ずつ取り出せるようにした衛生薄葉紙ディスペンサーであって、
前記上面部に対面し上面部側に付勢された底側舌片と、
前記底側舌片と上面部との間に束を差し込み可能に開口する挿入口とを有し、
前記挿入口から挿入された束が衛生薄葉紙ディスペンサー内部で底側舌片と上面部とによって挟持されることを特徴とする衛生薄葉紙ディスペンサー。
【請求項５】
底側舌片が折曲げ成形可能な可撓性シートにより形成されている、請求項１〜４の何れか１項に記載の衛生薄葉紙ディスペンサー。
【請求項６】
底側舌片が上面部と対面する底面部の縁から延出する縁片が衛生薄葉紙ディスペンサー内部側に折り返されて形成されている、請求項１〜５の何れか１項に記載の衛生薄葉紙ディスペンサー。
【発明の詳細な説明】
【技術分野】
【０００１】
本発明は、衛生薄葉紙の束を収めて、取出口から一枚ずつ取り出せるようにした衛生薄葉紙ディスペンサーに関する。
【背景技術】
【０００２】
主に水洗い後の手や埃・水滴の拭き取りに用いられるペーパータオル、紙ワイプ、主に調理用で水分・油分の拭き取りや吸収に用いられるキッチンペーパーや、主に鼻かみ、化粧落とし等に用いられるティシュペーパーなどの衛生薄葉紙は、一枚を引き出すと次の一枚の一部が引き出されるように複数枚の衛生薄葉紙が折り畳み重ねられてなる束とされ、上面部に取出口を有する据え置き型ともいえる衛生薄葉紙ディスペンサー内に収めて、その取出口からポップアップ式に取り出して使用されることがある。
【０００３】
従来のこの種の衛生薄葉紙ディスペンサーは、束を内部の底に載置して、上面部の取出口から取り出すものであり、衛生薄葉紙の使用にともなって束の高さが低くなると、束上面と衛生薄葉紙ディスペンサーの上面部に形成された取出口との距離が離れ、本来取出口から一部露出されるべき衛生薄葉紙の一部が内部に落ち込んでしまったり、露出がされてもその部分が僅かで摘まみにくくなるなど、ポップアップ性が悪化することがあった。
【０００４】
このような束上面と取出口の距離が離間しないように、取出口を有する上面部を可動式にして束上面に載せるようにした衛生薄葉紙ディスペンサーも知られるが、このようなものであっても、特に、束を構成する衛生薄葉紙の残り枚数が僅かになった際に束が軽くなることにより、衛生薄葉紙の取出口からの引き出し時に可動式の上面部が浮いてしまい、衛生薄葉紙ディスペンサー内部で束が踊り、束を構成する衛生薄葉紙の折り畳みが乱れて取出口から露出すべき一部が取出口から出てこずに、可動式上面部の内面側に残って連続的な取出しができなくなることがあった。
【０００５】
特に、この種の衛生薄葉紙の束は、図７に示すように、軟質の包装フィルム１６０によって包装され、その包装フィルム１６０にミシン目線等によってスリット状の裂開口１７０が形成されるようにして製品化されているものがあり、その裂開口１７０を広げて束２０ごと取り出して使用する態様のほか、裂開口１７０を開口させただけの包装フィルム１６０によって束２０が包装された状態のまま衛生薄葉紙ディスペンサー内へセットして、裂開口１７０及び衛生薄葉紙ディスペンサーの取出口を介して順次取り出せるようになっている。このため、特に、裂開口１７０を開口させただけの包装フィルム１６０によって包装された状態のまま衛生薄葉紙ディスペンサー内へセットして使用する場合には、上述の束２０を構成する衛生薄葉紙の枚数が少なくなった際に生ずる束の乱れが包装フィルム内で起こるとともに、包装フィルム１６０自体も変形してより一層取り出し性を悪化させることがあった。
【０００６】
また、従来のこの種の衛生薄葉紙ディスペンサーでは、束を交換するにあたって、そのどこかに設けられた蓋をあけて交換したり、上述の可動式の上面部を有するものでは、これを取り上げて交換する必要があり、その交換に手間がかかるものであった。
【先行技術文献】
【特許文献】
【０００７】
【特許文献１】特開２０１３−３４８０３号公報
【特許文献２】実用新案登録第３１４１１９０号公報
【特許文献３】特開２０００−１６８８６０号公報
【発明の概要】
【発明が解決しようとする課題】
【０００８】
そこで、本発明の主たる課題は、取出口から露出されるべき衛生薄葉紙の一部が内部に落ち込み難く、また、衛生薄葉紙ディスペンサー内での束が乱れたり崩れたりせず、衛生薄葉紙の使用開始から使用終了まで安定して取出口からポップアップして衛生薄葉紙を引き出すことができ、しかも、束の交換も容易な衛生薄葉紙ディスペンサーを提供することにある。
【課題を解決するための手段】
【０００９】
上記課題を解決した本発明は以下のとおりである。
【００１０】
〔請求項１記載の発明〕
上面部に取出口を有し、一枚を引き出すと次の一枚の一部が引き出されるように複数枚の衛生薄葉紙が折り畳み重ねられてなる束を収めて、前記取出口から一枚ずつ取り出せるようにした衛生薄葉紙ディスペンサーであって、
前記上面部に対面し底面側に付勢された上側舌片と
この上側舌片に形成された通紙部と、
前記上側舌片に対面し上面部側に付勢された底側舌片と、
前記上側舌片と底側舌片との間に束を差し込み可能に開口する挿入口とを有し、
前記挿入口から挿入された束が衛生薄葉紙ディスペンサー内部で前記上側舌片と底側舌片とによって挟持され、かつ、挟持された束から前記通紙部を介して取出口から衛生薄葉紙を取り出させる、ことを特徴とする衛生薄葉紙ディスペンサー。
【００１１】
〔請求項２記載の発明〕
上側舌片が折曲げ成形可能な可撓性シートにより形成されている、請求項１記載の衛生薄葉紙ディスペンサー。
【００１２】
〔請求項３記載の発明〕
上側舌片が上面部の縁から延出する縁片が衛生薄葉紙ディスペンサー内部側に折り返されて形成されている、請求項１又は２記載の衛生薄葉紙ディスペンサー。
【００１３】
〔請求項４記載の発明〕
上面部に取出口を有し、一枚を引き出すと次の一枚の一部が引き出されるように複数枚の衛生薄葉紙が折り畳み重ねられてなる束を収めて、前記取出口から一枚ずつ取り出せるようにした衛生薄葉紙ディスペンサーであって、
前記上面部に対面し上面部側に付勢された底側舌片と、
前記底側舌片と上面部との間に束を差し込み可能に開口する挿入口とを有し、
前記挿入口から挿入された束が衛生薄葉紙ディスペンサー内部で底側舌片と上面部とによって挟持されることを特徴とする衛生薄葉紙ディスペンサー。
【００１４】
〔請求項５記載の発明〕
底側舌片が折曲げ成形可能な可撓性シートにより形成されている、請求項１〜４の何れか１項に記載の衛生薄葉紙ディスペンサー。
【００１５】
〔請求項６記載の発明〕
底側舌片が上面部と対面する底面部の縁から延出する縁片が衛生薄葉紙ディスペンサー内部側に折り返されて形成されている、請求項１〜５の何れか１項に記載の衛生薄葉紙ディスペンサー。
【発明の効果】
【００１６】
以上のとおり、本発明によれば、取出口から露出されるべき衛生薄葉紙の一部が内部に落ち込み難く、また、衛生薄葉紙ディスペンサー内での束が乱れたり崩れたりせず、衛生薄葉紙の使用開始から使用終了まで安定して取出口からポップアップして衛生薄葉紙を引き出すことができ、しかも、束の交換も容易な衛生薄葉紙ディスペンサーが提供される。
【図面の簡単な説明】
【００１７】
【図１】本発明の実施形態の衛生薄葉紙ディスペンサーの斜視図である。
【図２】本発明の実施形態の衛生薄葉紙ディスペンサーの使用方法を説明するための断面図である。
【図３】本発明の実施形態の他の衛生薄葉紙ディスペンサーの斜視図である。
【図４】本発明の上側舌片を説明するための図である。
【図５】本発明の実施形態の別の衛生薄葉紙ディスペンサーの斜視図である。
【図６】本発明の他の実施形態の衛生薄葉紙ディスペンサーの斜視図である。
【図７】衛生薄葉紙の束を説明するための斜視図である。
【発明を実施するための形態】
【００１８】
次いで、本発明の実施の形態を図１〜７を参照しながら以下に詳述する。
【００１９】
（第一実施形態）
本実施形態に係る衛生薄葉紙ディスペンサー（以下、ディスペンサーという）１は、ディスペンサー１の外郭をなす上面部１１、一対の長側面部１２、底面部１３及び一方の短側面部１４で囲まれる一方短側面開放の略直六面体の箱形状をなし、その上面部１１の中央部に長手方向に沿って取出口１１Ａが形成され、例えば、洗面台等において前据え置いて、前記取出口１１Ａから衛生薄葉紙２を引き出して使用する。もちろん、底面部１３等の適宜の外面を壁面に接着するなどして壁面設置して使用してもよく、本発明に係るディスペンサー１は、その上面部１１を上方に向けて使用する態様に限定されるものではない。
【００２０】
本実施形態に係るディスペンサー１の上記各面部１１，１２，１３，１４は、公知の熱可塑性樹脂などのエンジニアリングプラスチックや可撓性シート材によって形成することができる。例えば、熱可塑性樹脂を加熱成形熱して剛体として形成してもよいし、折曲げ成形可能な可塑性シート材を折曲げ形成して準剛体として形成してもよい。ディスペンサー１の外殻をなす各面部１１，１２，１３，１４は、使用時の必要な強度を確保できる程度の適宜の剛性を有する素材によって適宜に形成すればよい。
【００２１】
他方、本実施形態に係るディスペンサー１では、直六面体の一方短側面に面部を有さず、大きく開口して束の挿入口１５とされている。このようにディスペンサー１の一方短側面に面部を形成せずに広く開口させて挿入口１５とすることで、図２の特に（ａ），（ｂ）に示すようにディスペンサー内部への束２０の出し入れ、特に挿入がしやすくなる。但し、図１に示すように、一方短側面の全面を開口させるのではなく、図３に示すように、上面部１１、底面部１３の縁近傍に面部１１ｘ，１３ｘを形成するようにしてもよい。なお、図示はしないが長側面部１２の近傍に面部を形成してもよい。
【００２２】
他方、本実施形態に係るディスペンサー１は、各面部１１，１２，１３，１４で構成される外殻内、すなわちディスペンサー内方において、上面、より具体的には上面部の内側面に対面して底面側に付勢された上側舌片３０が形成されている。図１、図３、図５に示す形態では、上側舌片３０は、上面部１１の開口側縁から延在する縁片を折り返してディスペンサー内部側に折込み入れることで、前記上面部１１と一体的に形成している。但し、上側舌片３０と上面部１１とは一体的に形成されている必要はなく、例えば、各面部とは別の板材を上面部１１に接着、熱融着するなどして形成してもよい。また、図１、図３、図５に示す形態では、上側舌片３０及び上面部１１と上側舌片３０との連接部分が可撓性素材により形成されており、その可撓性素材に起因する弾性力、より具体的には縁片の折曲げに対する復元性と縁片自体の弾性力によって、上側舌片３０に底面側への付勢力を付与している。但し、上側舌片３０の付勢力は、折曲げ復元性のみによって付与してもよいし、上側舌片３０の弾性力のみによって付与してもよい。また素材に起因するものにも限定されない。例えば、図４のように上側舌片３０となる別体の板部材を、金属製やゴム製の板バネ３１を介して上面部１１や面部１１ｘなどに連結するようにして付勢力を付与することができる。この場合には、上面部１１や上記板部材となる上側舌片３０は、弾性力を有さない素材で構成してもよい。但し、上面部１１と上側舌片３０とを一体的としたものの方が接着の手間がなく製造が容易となるため望ましい。
【００２３】
他方、本実施形態に係るディスペンサーは、上側舌片３０とともに前記ディスペンサー内方において、前記上側舌片３０に対面して上面側に付勢された底側舌片４０が形成されている。図１、図３、図５に示す形態では、底側舌片４０は、底面部１３の開口側縁から延在する縁片を折り返してディスペンサー内部側に折込み入れることで、前記底面部１３と一体的に形成している。但し、上側舌片３０と同様に各面部と一体的である必要はなく、底側舌片４０も底面部１３とは一体的に形成されている必要はない。例えば、各面部とは別の板材を底面部１３に接着、熱融着するなどして形成してもよい。また、図１、図３、図５に示す形態では底側舌片４０及び底面部１３と底側舌片４０との連接部分が可撓性素材により形成されており、上側舌片３０と同様に、その可撓性素材に起因する弾性力、より具体的には縁片の折曲げに対する復元性と縁片自体の弾性力によって、底側舌片４０に上面側への付勢力を付与している。但し、底側舌片４０の付勢力も、折曲げ復元性のみによってもよいし、底側舌片４０の弾性力のみによって付与してもよい。また素材に起因するものにも限定されない。上側舌片と同様に、別体の板部材を、金属製やゴム製等の板バネを介して底面部１３や面部１３ｘなどに連結するようにして付勢力を付与することができる。この場合には、底面部１３や上記板部材となる底側舌片４０は、弾性力を有さない素材とすることができる。但し、底面部１３と底側舌片４０とを一体的とする方が接着の手間がなく製造が容易であるため望ましい。
【００２４】
本実施形態に係るディスペンサー１では、上記挿入口１５と上側舌片３０及び底側舌片４０との構成によって、前記挿入口１５から衛生薄葉紙の束２０を上側舌片３０と底側舌片４０との間に容易に挿入でき、また、その挿入された束２０が上側舌片３０と底側舌片４０との付勢力によってそれらの間に挟持される。特に、図１、図３、図５に示す例の如く各舌片３０，４０を、縁片の折曲げにより形成し、その挿入口側近傍をディスペンサー内方に向かって湾曲させるようにすると、挿入口１５から各舌片３０，４０の間への束２０をスムーズに挿入できるようになるので望ましい。
【００２５】
また、上記各舌片３０，４０を図１、図３、図５に示す例の如く上面部１１、底面部１３の各縁から延在する縁片をディスペンサー内方に折曲げ、その可撓性に起因する弾性力等によって付勢力を付与するのであれば、ディスペンサー１を一枚又は複数枚の折曲げ可能な可撓性シート材からなるブランクシートを適宜に設計して折曲げ組み立てることで形成することができ、このようにするのが望ましい。ブランクシートの具体的形状は、図示例の直六面体の適宜の展開形状に各面部同士を接続する適宜の接着代や差し込み連結するための差し込み片や差し込み片挿通孔を設けた形状とすればよい。
【００２６】
他方で、本実施形態に係るディスペンサー１では、上記上側舌片３０の特に上面部１１に形成された取出口１１Ａに対面する位置に通紙部３０Ａが形成されている。この通紙部３０Ａは、図１及び図３に示すように上側舌片３０に形成された孔、又は図５に示すように上側舌片３０に形成された切り欠きであり、係る通紙部３０Ａを設けることで、特に図２（ｃ）のように上側舌片３０と底側舌片４０との間に挟持された束２０から引き出された衛生薄葉紙２がその通紙部３０Ａを通って上面部１１に形成された取出口１１Ａへ至ることが可能となっている。通紙部３０Ａの大きさは、取出口１１Ａへの衛生薄葉紙の導通を妨げない範囲で適宜に設計でき、好ましくは、取出口１１Ａより広くするのが望ましい。
【００２７】
ここで、本実施形態のディスペンサーに用いる衛生薄葉紙の束２０は、方形の衛生薄葉紙２が二つ折りされ、その折り返し片の縁が上下に隣接する衛生薄葉紙の折り返し内面に位置するようにして、互い違いに重なり合いつつ積層されたものであり、係る積層構造の衛生薄葉紙の束は、最上位又は最下位に位置する一枚の折り返し片を引っ張ると、その直下で隣接する他の一枚の折り返し片が、摩擦により引きずられる。
【００２８】
本実施形態に係るディスペンサー１は、図２に示すように、上記構造の衛生薄葉紙の束２０を、その上面が上述の上面部１１側に向かうようにして、挿入口１５から各舌片３０，４０の間に挿入し、挿入後に束２０から上記通紙部３０Ａ及び取出口１１Ａを介してディスペンサー外に引き出すようにして使用する。この際、本実施形態のディスペンサー１では、各舌片３０，４０の間に束２０が挟持された状態で束２０から衛生薄葉紙２が取出口１１Ａを介してディスペンサー外に引き出すことができ、また、衛生薄葉紙２の使用によって束２０の厚み（高さ）が減ってきても、各舌片３０，４０の付勢力によって上側舌片３０と底側舌片４０との間が狭まっていき、束２０が挟持された状態が維持されるため、安定的な引き出しが可能となる。特に、上側舌片３０と底側舌片４０とを、それらの付勢力によって束２０の非挿入時に互いに接するようにしておくのが望ましく、このようにすることで、常に束２０の上下面に各舌片３０，４０が接して支持されるようになり、使用にともなって束を構成する衛生薄葉紙２が極僅かとなって束の厚みが極薄になってもディスペンサー内で束が躍ることがなく、束の折りの乱れも防止され、最後まで安定して衛生薄葉紙２を取り出せるようになる。
【００２９】
また、本実施形態のディスペンサー１では、各舌片３０，４０の付勢力のバランスは、ディスペンサー内方の適宜の高さ位置、すなわち上面部１１と底面部１３との間の適宜の位置で拮抗するようにする。特に底側舌片４０の付勢力は、未使用時の束２０の重さと上側舌片３０の付勢力に抗してこれを上面側の適宜の位置まで押し上げる程度の付勢力とするのが望ましい。この付勢力の調整は、各舌片３０，４０の素材の弾性力や形状、板バネ３１の選択等の公知の技術によって調整することができる。このような各舌片３０，４０の付勢力のバランスとすることで、本実施形態に係るディスペンサー１では、各舌片３０，４０の間に挿入された束２０から順次衛生薄葉紙２が引き出されることによってその束２０の厚みが低下するとともに束重量の変化によって底側舌片４０による束２０の押し上げ力が作用し、束２０の上面とディスペンサー１の上面部１１と間の距離がほぼ一定に保たれるか、若干近くなるようになり、使用時において取出口１１Ａから一部露出する衛生薄葉紙２の一部が取出口１１Ａからディスペンサー１内に落ち込むことが効果的に防止され、また、意図せず落ち込んでも取出口１１Ａから再度引き出すことが容易となる。
【００３０】
上述のとおり本実施形態のディスペンサー１では、上記のとおり広く開口した挿入部１５から束２０の挿入が容易で束の交換が容易であるが、さらに図７に示すような軟質の包装フィルム１６０に包装されたまま使用しても、使用後に残る軟質の包装フィルム１６０を挿入口１５から引き出すだけでよく、その除去も容易である。そして、特に束２０を軟質の包装フィルム１６０で包装したまま使用しても、その包装フィルム１６０から取り出して使用しても各舌片３０，４０による効果を同様に奏する。
【００３１】
なお、上側舌片３０と底側舌片４０の大きさは、束２０の上面及び底面を効果的に挟持できる、より具体的には束２０の上面や底面を被覆できる程度の大きさとするのが望ましい。また、特に底側舌片４０は、束２０の底面に対して面接する部分を広くするのが望ましい。例えば、上面側に過度に凸となるように湾曲していると、束２０の厚みが薄くなった際に底側舌片４０の湾曲に沿って束２０が変形するように束２０が反り、取出口１１Ａから取り出す際の抵抗が高くなりスムーズに引き出し難くなるおそれがある。束底面に対する部分を広くするために、例えば、底側舌片４０に適宜の折り目を入れたり、熱成形したりすることができる。
【００３２】
（第二実施形態）
次いで、本発明の第二実施形態を説明する。上記第一実施形態と同様の構成については、説明を省略する。本実施形態は、図６に示すように上記第一実施形態における上側舌片を有さない形態である。
【００３３】
本実施形態のディスペンサー１は、束非挿入時における底側舌片４０の位置をより上面側に近い位置、より好ましくは上面部１１に接するように形成する位置として、底側舌片４０とディスペンサー１の上面部１１の内面側との間で束２０を挟持するようにし、第一実施形態における上側舌片３０が担う束２０の上面の押持を上面部１１の内側面と底側舌片４０の付勢力によって行なうものである。本実施形態においても、上記第一実施形態と同様の効果を奏する。
【符号の説明】
【００３４】
１…衛生薄葉紙ディスペンサー、２…衛生薄葉紙、１１…上面部、１１ｘ…面部、１１Ａ…取出口、１２…長側面部、１３…底面部、１３ｘ…面部、１４…短側面部、１５…挿入口、２０…衛生薄葉紙の束、３０…上側舌片、３０Ａ…通紙部、３１…板バネ、４０…底側舌片。
【要約】
【課題】衛生薄葉紙の使用開始から使用終了まで安定して取出口からポップアップして衛生薄葉紙を引き出すことができ、しかも、束の交換も容易な衛生薄葉紙ディスペンサーを提供する。
【解決手段】
上面部１１に対面し底面側に付勢された上側舌片３０と、この上側舌片３０に形成された通紙部３０Ａと、前記上側舌片３０に対面し上面側に付勢された底側舌片４０と、前記上側舌片３０と底側舌片４０との間に束を差し込み可能に開口する挿入口１５とを有し、前記挿入口１５から挿入された束がディスペンサー内部で前記上側舌片３０と底側舌片４０とによって挟持され、かつ、挟持された束から前記通紙部を介して取出口から衛生薄葉紙を取り出させるようにした衛生薄葉紙ディスペンサーにより解決される。
【選択図】図１【図１】
0005859620.tif 000002
【図２】
0005859620.tif 000003
【図３】
0005859620.tif 000004
【図４】
0005859620.tif 000005
【図５】
0005859620.tif 000006
【図６】
0005859620.tif 000007
【図７】
0005859620.tif 000008